(57)【特許請求の範囲】
【請求項１】
自身の前面を越えた空間に磁束を発生させるかまたはその空間から磁束を受ける、誘導電力伝達用の磁束パッドであって、
２つの磁極領域と、
磁気透過性の磁心と、
前記磁心の長手方向に沿って配置され、前記磁心に磁気的に関連する２つのコイルと
を含み、
前記コイルはそれぞれ前記磁極領域の一つを画し、
前記コイルはそれぞれ前記磁心の上面を横切って広がり、前記磁心が前記パッドの磁極領域間に磁束を集中させることにより、磁束が前記磁心の前記磁極領域間に束縛されるとともに前記磁極領域を経由してガイドされてパッドに入りまたは出ていき、前記前面を超えた空間にアーチ状の磁束経路が形成されるようにした、磁束パッド。
【請求項２】
前記コイルが平面状のコイルである請求項１記載の磁束パッド。
【請求項３】
前記コイルは、スパイラル巻きのコイルである請求項１または２に記載の磁束パッド。
【請求項４】
前記コイルは前記パッドの前記前面に最も近い前記磁心の片側に位置する請求項１〜３のいずれかに記載の磁束パッド。
【請求項５】
前記コイルと前記磁心はともにパッドの磁束経路を形成する請求項１〜４のいずれかに記載の磁束パッド。
【請求項６】
前記磁心は細長い磁気透過性材料を含む請求項１〜５のいずれかに記載の磁束パッド。
【請求項７】
前記磁気透過性材料は、フェライトである請求項６記載の磁束パッド。
【請求項８】
前記コイルは、各コイルが非対称であって、各コイルの巻きは、前記磁極領域間が、前記パッドの周辺に比べて、広くなっている請求項１〜７のいずれかに記載の磁束パッド。
【請求項９】
前記コイルは前記磁極領域間の箇所で互いにすぐ隣に位置している請求項１〜８のいずれかに記載の磁束パッド。
【請求項１０】
前記コイルは、前記磁極領域と、前記磁極領域間の磁束パイプとを提供するように形成されている請求項１〜９のいずれかに記載の磁束パッド。
【請求項１１】
さらに、前記２つの平面状のコイルと前記前面との間に別の平面状のコイルを含む請求項１〜１０のいずれかに記載の磁束パッド。
【請求項１２】
前記別の平面状のコイルは前記２つの平面状のコイルと重なり合う、請求項１１記載の磁束パッド。
【請求項１３】
前記別の平面状のコイルは前記２つの平面状のコイルに対して中央側に配置されている、請求項１１または１２記載の磁束パッド。
【請求項１４】
前記２つの平面状のコイルは水平な磁束成分を受けるものであり、前記別の平面状のコイルは垂直な磁束成分を受けるものである、請求項１１〜１３のいずれかに記載の磁束パッド。
【請求項１５】
請求項１〜１４のいずれかに記載の磁束パッドを含むＩＰＴシステム。
【請求項１６】
請求項１の磁束パッドと、自身の前面を越えた空間から磁束を受ける磁束パッドとの組み合わせを含むＩＰＴシステムであって、前記磁束を受けるパッドは、
磁束を発生しまたは受ける２つの磁極領域と、
磁気透過性の磁心と、
前記磁心に関連し前記パッドの前面に隣り合う前記磁心の片側に設けられ、水平の磁束成分を受けるように適合された２つのコイルと
を含み、
さらに、前記磁心に磁気的に関連し、垂直の磁束成分を受けるように適合された別のコイルを含むＩＰＴシステム。
【請求項１７】
電気自動車に電力を供給する請求項１５または請求項１６記載のＩＰＴシステム。
【発明の詳細な説明】
【技術分野】
【０００１】
本発明は、磁束を発生しまたは受ける装置に関するものである。本発明は、これに限らないが、特に、パッドなどのように誘導電力伝達（ＩＰＴ）を用いた電力伝達を行うものであって、外形が低く実質的に平面状であるデバイスに利用される。
【背景技術】
【０００２】
ＩＰＴシステムと、誘導電力伝達のための１次側または２次側の巻き線からなる一つ以上の巻き線を含むパッドの使用は、国際公開公報ＷＯ２００８／１４０３３３で紹介されている。その内容は、ここに参照によって組み込まれる。この一つの利用形態としてのＩＰＴ電力伝達パッドは、電気自動車への充電である。ＩＰＴ電力伝達パッドは、電力を「ピックアップ」するデバイス（すなわち、ＩＰＴシステムの２次側の巻き線）として電気自動車に搭載されるとともに「充電パッド」（すなわち、１次側の巻き線）としてガレージの床面に固定されて設置される。
【０００３】
誘導的に充電される電気自動車のためのピックアップの開発において、問題であったのは、電気自動車の下面の車高である。従来のピックアップ回路では、結合係数が実用にならないほど小さく、おおよそ１００ｍｍの距離までしか十分な量の電力は提供できなかった。
【０００４】
通常の電気自動車を一晩で充電する電力は約２．０ｋＷであると一般に考えられていた。このため、一晩充電するモードではおおよそ２４ｋＷＨを伝達することができる。近年の電気自動車では、これにより１００ｋｍ以上走行することができ、子供の学校の送り迎え、お使いや短い通勤などに用いる小型車のために、理想的である。
【０００５】
誘導結合の充電器は、通常２つの電力パッドを用いる。これらは、図1に示すように円形をしており直径が４００ｍｍで厚さが２５ｍｍ程度の大きさである。しかしながら、このような誘導充電器に用いるには電気自動車は、充電パッドの上方に正確に位置決めをしなくてはならず、通常５０ｍｍ以内に完璧にそろえることが必要であり、電気自動車の電力パッドと地上の電力パッドの間隔は精密に制御されなくてはならない。  原理的には、誘導電力伝達は垂直方向に０〜１００ｍｍの隙間で行うことができる。しかし、１００ｍｍに設定すると、１２０ｍｍではパワーのロスが大きく、また５０ｍｍを下回ると作動させることができない。このような事態は、パッド間の距離が変化することにより電力パッドの自己インダクタンスと相互インダクタンスの双方が大きく変動するために生じる。図1の構造を有する同一の２つの円形パッドの自己インダクタンスと相互インダクタンスを、距離の関数として図２に示す。したがって、１００ｍｍでは、電力パッドレシーバーまたはピックアップは、５００Ｗの電力定格に対し１００ボルトのピックアップ電圧で５アンペアの短絡電流を有することができる。ＩＰＴシステムのエレクトロニクスはＱ値を４で作動させると、２ｋＷをバッテリーに伝達することができるが、適当なバッテリー電圧で必要な電力を生成する点において、まだ改善を要する点がある。
【０００６】
ピックアップパッド（すなわち、電気自動車に搭載された電力パッド）に誘導される電圧は、間隔の変化にたいへん敏感に変動する。図２に示すように、相互インダクタンスの変化に対応して、１２０ｍｍでは約４０％減少し、５０ｍｍでは２倍になる。電力が減少すると、電気自動車は通常の時間ではフル充電できないことになる。しかし、より大きな問題は、間隔が小さいと伝達される電力は大きくなり、回路の部品が過負荷になることである。また、間隔が減少するにつれてピックアップコイルの自己インダクタンスも変化して、回路がオフ周波数で動作するようになり、電源に過重な負担をかけることになる。間隔がさらに小さくなると、このような電源の負担により１次側のピックアップの同調が維持できなくなり、システムはシャットダウンする。実際には、４０ｍｍから１００ｍｍまでの間隔で動作させることが実現可能であり、これより大きい範囲では困難である。
【０００７】
４０ｍｍから１００ｍｍの間隔の範囲はたいへん狭いものである。高い地上高を有する電気自動車であれば、電気自動車の電力パッドは低くするか、または地上の電力パッドを高くするかどちらかにしなければならない。自動システムでこれを行うと、充電システムの信頼性を確保できる。別の方法として、地上のパッドを持ち上げた位置で固定することもできる。しかし、電気自動車が充電していない時はこのようなパッドは躓く危険があり、このような状況は、ガレージや電気自動車と歩行者が混在する場所では通常はさけるべきである。
【０００８】
図１の電力パッドの構造は知られているものであり、アルミニウム製のケース１に通常８つのフェライトバー２と一つのコイル３が収納されている。コイルを流れる電流はフェライトバーの内部に磁束を生成し、この磁束は磁束線となってフェライトバーから他のバーの端部へ伝搬する。その経路はコイルを含み楕円形に近い形と考えられる。ひとつのバーに対する磁束線４を図３に示す。磁束線は上方向にフェライトバーから飛び出し、バーの他の端部に直交して入るように伝搬する。中実のアルミニウム製の背面プレート１に妨げられるのでパッドの後面には磁束は通らない。実際のパッドは、図４の断面図におおよそ示すように、８つのバーが磁束のパターンを与える。磁束のパターンのシミュレーションを図４Aに示す。
【０００９】
図４Ａから、最も高い位置では、磁束線は本質的に水平であることがわかる。したがって、１次パッドと２次パッドの間で可能な最大間隔を得るには、この水平の磁束を検出することが有利であろう。しかしながら、この水平の磁束は相対的にパッドに近い（パッドからパッドの直径の４分の１程度伸ばしたところである）ので、電力パッドのまさに中心では水平の磁束は存在しない。したがって、もっとも磁束密度の大きい箇所は、理想的には、中心であるが、実際の使用可能な水平の磁束の成分はゼロである。
【先行技術文献】
【特許文献】
【００１０】
【特許文献１】国際公開第２００８／１４０３３３号
【発明の概要】
【発明が解決しようとする課題】
【００１１】
本発明の目的は、誘導電力伝達の改善した装置もしくは改善した方法、または改善したＩＰＴ電力伝達パッドを提供することであり、また、少なくとも公衆に有用な選択肢を提供することである。
【課題を解決するための手段】
【００１２】
したがって、本発明は、一態様において、前面と後面を有し、前面を越えた空間に磁束を発生しまたその空間から磁束を受ける磁束パッドであって、磁束を送りまたは受ける２つの磁極領域と、磁気透過性の磁心と、前記磁心に磁気的に関連する２つのコイルとを含み、これにより、磁束はパッドの一つの磁極領域から入り、パッドの他の磁極領域から出る磁束パッド、を提供する。
【００１３】
一つの実施形態において、これらのコイルが平面状のコイルであり、各コイルはそれぞれ一つの磁極領域を画してもよい。
【００１４】
これらのコイルは、スパイラル巻きのコイルであってもよい。
【００１５】
一つの実施形態において、これらのコイルはパッドの前面に最も近い磁心の片側に位置し、これらのコイルと磁心はともにパッドの磁束経路を形成する。
【００１６】
この磁心はフェライトなどの磁気透過性材料の長さを含む。
【００１７】
一つの実施形態において、コイルの巻きは、磁極領域と磁極領域の間で拡がっている。他の実施形態において、コイルの巻きは磁極領域と磁極領域の間の箇所の外側の領域に集中している。各コイルは非対称であって、コイルの巻き線の組み合わせは、磁極領域と磁極領域の間ではパッドの周辺に比べて、広くなっていてもよい。
【００１８】
一つの実施形態において、これらのコイルは、磁極領域と磁極領域の間の箇所で互いにすぐ隣に位置する。コイルは磁極領域と磁極領域の間の箇所で互いに接触していてもよい。
【００１９】
これらのコイルは、磁極領域と、磁極領域と磁極領域の間の磁束パイプとを提供するように形成されてもよい。これらのコイルは、また、実質的に同じ平面にあってもよい。
【００２０】
本発明のさらに他の態様として、前面と後面を有し、前面を越えた空間に磁束を発生しまたその空間から磁束を受ける磁束パッドであって、磁束を送りまたは受ける２つの磁極領域と、磁気透過性の磁心と、磁心に磁気的に関連しパッドの前面に隣り合う磁心の片側に設けられた２つのコイルとを含み、これにより、パッドは空間にアーチ形状の磁束を生成し、本質的に各磁束線が磁極領域のひとつから始まり、第２の磁極領域へアーチをかけ、パッドの後面に本質的に磁束が存在せずに磁心を通してそれ自体に結合するようにした磁束パッド、を提供する。
【００２１】
本発明のさらに別な態様として、前面と後面を有し、前面を越えた空間に磁束を発生しまたその空間から磁束を受ける磁束パッドであって、磁束を送りまたは受ける２つの磁極領域と、磁気透過性の磁心と、磁心に磁気的に関連しパッドの前面に隣り合う磁心の片側に設けられ、水平の磁束成分を受けるようにした２つのコイルと、さらに、磁心と磁気的に関連し垂直の磁束成分を受けるようにした別のコイルとを含む磁束パッドを提供する。
【００２２】
本発明のさらに別な態様として、上記した磁束パッドを含むＩＰＴシステムを提供する。このシステムは、また、上記した磁束を送るパッド（トランスミッターパッド）と磁束を受けるパッド（レシーバーパッド）を含んでもよい。
【００２３】
このＩＰＴシステムは、電気自動車に電源を供給してもよい。
【００２４】
本発明のさらに別な態様として、相対的に高い磁気透過性を有するとともに２つの端部を有する磁束坦体と、前記磁束坦体と電磁気的な関連をする２つの巻き線と、を含み、磁束坦体は、２つの磁束送受箇所を有し、磁束送受箇所は各端部の隣に配され、これにより磁束は実質的に送受箇所かまたはその隣りにおいてのみ磁束坦体に出入りするようにしたＩＰＴ電力伝達磁束トランスミッターまたはレシーバーを供給する。
【００２５】
本発明の他の態様は、以下の記載によって明らかになる。
【００２６】
一つ以上の実施態様が、図を参照し実施例を通して以下に記述される。
【図面の簡単な説明】
【００２７】
【図１】図１は、ＩＰＴ電力伝達パッドのすでに知られた形の一部の透視図である。
【図２】図２は、図１のようなパッドの高さの変動に対するインダクタンスの測定値と磁束結合能率を示すグラフである。
【図３】図３は、図1のパッドの一部の断面における模式立面図であり、磁束線を示している。
【図４】図４は、図１のパッドの断面における平面図と立面図であり、磁束線を示している。
【図４Ａ】図４Ａは、図１のパッドの断面の立面図であり、磁界（磁束線で示されている）のコンピュータシミュレーションを示している。
【図５Ａ】図５Ａは、パッドの形式で提供される誘導電力伝達装置の一例の平面図である。
【図５Ｂ】図５Ｂは、図１９Aの装置の側面の立面図である。
【図５Ｃ】図５Ｃは、図５Ｂの図に磁束線を示している。
【図５Ｄ】図５Ｄは図５Ａ〜５Ｃのパッドの断面図のコンピュータシミュレーションであり、使用に供されたパッドにより生成された磁束線を示している。
【図６】図６は、中心コイルまたは積分コイルを含む誘導電力伝達装置の別の実施例に対する電気配線図の模式的説明図である。
【図７Ａ】図７Ａは磁束トランスミッター及びレシーバーを下から見た斜視図である（上側が磁束トランスミッターである。）。
【図７Ｂ】図７Ｂは、図７Ａの配置の上方から見た斜視図である。
【図８Ａ】図８Ａは、図７Ａおよび図７Ｂの配置のシミュレーションに基づく磁束線を示す。磁束トランスミッター及びレシーバーの間隔が２００ｍｍで、ずれがないときのものである。
【図８Ｂ】図８Ｂは、図７Ａおよび図７Ｂの配置のシミュレーションに基づく磁束線を示す。磁束トランスミッター及びレシーバーがＸ軸方向にずれがあるときのものである。
【図９】図９は、図７Ａおよび図７Ｂの配置に対してＸ軸方向に変位があった場合の電力の説明図である。
【図１０】図１０は、図７Ａおよび図７Ｂの配置に対してＹ軸方向に変位があった場合の電力の説明図である。
【図１１】図１１は、前に掲げた図のパッドのコイルに対する巻き線配置の説明図である。
【図１２】図１２は、前に掲げた図におけるパッドの構造に対するフォーマーまたは支持プレートの平面図である。
【図１３】図１３は、図１２のフォーマーの斜視図である。
【図１４】図１４は、図１２または図１３に示されるフォーマーの後面に取り付けられる背面プレートの斜視図である。
【発明を実施するための形態】
【００２８】
ＩＰＴ電力伝達の配置における新しい概念を開示する。本明細書に記載された実施例は、磁束送受装置に関連するものであり、これらは共通して（必ずしも限るものではないが）、電力伝達パッドに関連する独立したユニットの形式で提供される。すなわち、可搬であって通常３次元というよりも２次元といえる配置であり、電気自動車の充電などに利用される。この場合、一つのパッドは地面に備えられ（たとえば、ガレージの床上など）、他のパッドは電気自動車に備えられている。しかしながら、開示された発明は、たとえば道路などの恒久的な構造も含む他の配置も提供し、パッドの形式をとる必要はない。明細書を通して、同様の参照番号は同様の特徴を参照するものである。
【００２９】
図５Ａの配置を参照すると、新規な「磁束パイプ」を用いるパッドが、一般に参照番号１０で示されている。この磁束パイプは、磁極領域１１、１２である２つの別々の磁束送受箇所を接続している。この磁束パイプ１０は一般に理想的にはまったく磁束が逃げない高い磁束集中をする細長い箇所を提供する。この実施例の磁束パイプ１０は磁心１４を有し、磁心は磁心内に磁束が留まるフェライトなどの磁気透過性の材料を含んでいる。電気回路に関しては、コンデンサの静電容量に大きな違いがある。通常、銅は５．６×１０７であり、空気は１０１４のオーダである。この状況は、フェライトと空気の磁気透過性の違いが一万分の一のオーダ以下であるので、磁界に関係しない。したがって、磁気回路においては、空気中への漏洩磁束は常に存在するため、最良の結果を得るには、漏洩磁束を制御する必要がある
【００３０】
フラットコイルまたは巻き線１７は磁心１４の上部に置かれて磁束パイプを提供する。コイル１７を通る磁束パイプを貫通する直線経路はない。これに代わり、コイル１７の配置により、磁極領域１１または１２のひとつを通ってパッドに入る磁束は関連するコイル１７を通って磁心に沿って伝達されるところから磁心１４に伝達され、その後、他の磁極領域１２または１１を通ってパッドから出て、空気中を通って最初の磁極領域１１または１２に完全な曲線の磁束経路を形成してもどることにより完了する。このように形成された磁束経路は本質的にパッドの前面の完全に上方にあり、前面を越えて空間に伸びていく。コイル１７の配置はまた、本質的にパッドの後面を越えて伸びていく磁束はないことを意味する。したがって、巻き線１７の向いている方向により、磁束経路は曲線を描いてパッドの前面の正面の空間に向けられる。コイル１７は、磁心１４の上面を横切って広がってまたは分けられているので、パッドの中心の磁束は磁心１４の内部に主として束縛される。コイル１７はまた磁極領域間を離して画するので、磁束が磁極領域を経由してガイドされてパッドに入りまたは出ていき、パッドの前面の表面を越えて空間にループ状のアーチを形成する。このため、パッドの前面の上方の有意の距離に有意の水平の磁束成分を提供する。
【００３１】
好ましい実施例では、２つのコイル１７は互いにきわめて近接している。これらのコイル１７はスパイラル巻きである。図５Ａから５Ｃに図面で説明されるように、これらのコイル１７はアルキメデススパイラルを形成し、中心線１７Ａに沿って接触している。磁束パイプ１０は、磁心１４に含まれ、コイル１７の端部まで延びている。コイル１７は、実質的に平面状であり、磁心１４の片側の同じ平面上に配置されている。磁心１４の実際の長さは重要ではない。ひとつの実施例ではコイル１７の中心線を含むもので各コイルの中心の穴を越えて少なくともＡで示される位置にまで延びている。磁心１４はコイル１７の下を位置Ｂまであるいはさらに遠くまで、延びていてもよい。コイル１７の穴は、磁極領域１１および１２を画しているパッドの磁束レシーバー／トランスミッターの箇所として機能する。
【００３２】
一つの実施例では、磁心１４はストリップ状またはレングス状のフェライトバーでできている（図５Ａ〜Ｃでは示されていないが、図７Ａまたは７Ｂで説明されている。）。ストリップとストリップの間のエアギャップはあってもよく、製造が簡単になる。理想的な磁束経路２０は図５Cに示され、理想的状態としては、磁心１４の片側にのみ存在する。原則として、理想的にはパッドの後面（すなわち、磁心１４の片側であってコイル１７が取り付けられている片側の反対側）に延びる磁束はない。したがって、アルミニウム製の仕切り（スクリーン）やそのほかの磁束防護部材は必要がない。しかしながら、実際には、いくつかの実施例で軽量の仕切りを用いてもよい。磁心１４を構成するフェライトバーに欠陥や不具合があると、小規模な漏洩磁束が発生することがあるためである。
【００３３】
図５Ｄは、使用されて磁界を生成する際の図５Ａ〜５Ｃのパッド構造のシミュレーションの結果を示す。磁束経路はパッドの前面を越えた空間を通るおおむねアーチ形状であることがわかる。
【００３４】
前記した配置による誘導電力伝達パッドは、漏洩磁束が少ないため、たいへん使いやすい。パッドは金属物のすぐ近くにおいても性能が低下することはない。配線などを接続してもほとんど影響がない。
【００３５】
第２実施例
別の実施例において、たとえば電気自動車に水平に取り付けられているレシーバーパッドまたはピックアップパッドのコイルの配置は、磁束の発生器（水平向きのトランスミッターパッド）に関してピックアップパッドを長手方向に向けられた磁束の第１の方向（すなわち、磁心１４に対して平行方向で図面ではX軸方向）に対しピックアップパッドを敏感にする。ずれがある場合のレシーバーの磁気的な結合を改善するために、固定されたトランスミッターに対して望ましくは垂直である磁束の第２の成分に敏感な「第２の」コイルを配置することができる。
【００３６】
図６は、レシーバーパッドの別な実施例の電気図面を示している。レシーバーパッドには、「垂直」な磁束に敏感なコイル２２が中央に配置され、逆位相で接続された外側の２つのコイル１７が水平成分に敏感な別のコイルを作っている。
【００３７】
図５Ａ〜５Ｃのレシービングパッドでは、別のフラットコイル２２を磁束パイプの上方に置くことができ、図７Ａと７Ｂに好適な配置が示されている。コイル２２は磁界の垂直成分に敏感である。もとのオリジナルのピックアップ構造においては、この追加したコイルは磁心１４の片側にのみ存在した。したがって、トランスミッターに向けられたレシーバーの側にある磁束線のすべてを理想的に維持する。
【００３８】
図７Ａおよび７Ｂに示すように、レシーバーだけが中心コイルまたは積分コイル２２を装備できる。この第２のコイルは特にX方向（すなわち、水平の長手方向）のずれに対して敏感である。しかし、Y方向（磁心１４に直角である水平の横断方向）には敏感ではない。このことはもとのレシーバーがY方向のずれに敏感であることを補完する。しかし、もとのレシーバーは、構造上、X方向の動きに対して敏感でない。両方のレシーバーコイルを合わせた出力は、レシーバーの感度を改善し、レシーバーを名目上の理想的な位置にすることができ、必要な電力を結合することもできる。図７Ａおよび７Ｂは、また、磁心２４を構成する、間隔をあけたフェライトロッドやフェライトバー２４の配置を示す。
【００３９】
例として、図７Ａおよび７Ｂに示すパッドデザインを用いた補償のない磁束線を、図８Ｂおよび８Ａに、それぞれずれがあるものとないものを示す。ここに、トランスミッターパッドとレシーバーパッドは、レシーバーパッドの第２の「垂直磁束」コイル（すなわち、図７Ａおよび７Ｂのコイル２２）が加えられた以外は同一である。トランスミッターパッドとレシーバーパッドはともに長さが５８８ｍｍあり、幅が４０６ｍｍある。そして、垂直方向に２００ｍｍ離れている。トランスミッターパッドのコイルの電流は２０ｋＨｚにおいて２３アンペアである。トランスミッターパッドとレシーバーパッドの間に磁束の大部分が存在することに注目すべきである。一方、ほんのわずかな漏洩磁束がこの領域の外側に存在することが示される。図８Ａでは、この磁束線は第１のレシーバーコイルと結合する。一方、図８Ｂは磁束線の大部分は第２のレシービングコイル（すなわち、図７Ａおよび図７Ｂのコイル２２）と結合する。これにより、ピックアップの出力電力供給能力が改善される。
【００４０】
図９および図１０では、ずれのある場合とない場合のレシーバーパッドコイルの出力から生成されたボルトアンペアが示されている。図９では、図７Ａおよび７Ｂに示されるパッドの磁気的シミュレーションからレシーバーコイルの全体のボルトアンペアと個別のボルトアンペアへの寄与を示す。レシーバーパッドはＸ方向にずれ（トランスミッターパッドの中心である理想的な位置に比較して）がある。図９では、曲線２６はコイル２２のボルトアンペアへの寄与を表している。曲線２８はコイル１７の合計のボルトアンペアへの寄与を示している。残りの曲線はコイル１７とコイル２２の全体を表したものである。第２のコイル２２は、前述のように、Ｘ方向のオフセットが０の時に２ＫＷの出力が必要であるとすると、その出力を実質的に改善して、電子的同調によりボルトアンペア出力は約３．２倍になるようにしなくてはならない。コイル２２がない場合は、Ｘ方向のオフセットが１４０ｍｍでは、電子的ブースト（Ｑ）は１７倍必要とされる（実際には、同調感度の問題があり難しい）。これに対して、コイル２２がある場合は、約４．８倍の実効的なブーストが必要であるが、これは容易に実現される。レシーバーのＸ方向のオフセットが０であるときは、コイル２２はＹ方向の感度が敏感でなくともよい。これは図１０に示す磁気的なシミュレーションで確認される。図１０では、コイル２２からの全電力に対する寄与はないことが示されている。しかしながら、コイル１７の合計の出力はもともとこの方向に敏感であるため必要ではない。Ｙ方向の１４０ｍｍのオフセットでは、２ＫＷの出力は約５．５倍の電子的な同調（Ｑ）により得ることができる。
【００４１】
第３実施例
図１１に戻り、コイル１７に対する巻き線配置が模式的に説明されている。この実施例では、コイル１７の個別の巻きはパッドの端部に比較してパッドの中心に近いところの各巻き線の終わりで拡大されている。したがって、コイル１７はそれぞれ非対称であって、コイルの巻き線の組み合わせは、磁極領域と磁極領域の間ではパッドの周辺に比べて、広くなっている。この実施例は、磁極領域１１および１２（と磁束パッドの前面を越えて延びる大きい磁束の広がり）をより大きい間隔にすることを可能にしている。磁極領域１１および１２の間隔は、磁極領域１１および１２の狭い周縁部上と磁極領域と磁極領域の間の磁気パイプの中央の箇所に対してフラットな周縁部上とに巻かれた、楕円または長方形の断面のリッツ線を用いることでより大きくすることができる。
【００４２】
これに代わって、コイルが丸線で巻かれている場合は、磁極領域１１および１２の間隔は磁極領域と磁極領域の間の磁気パイプ部分の巻き線の間のギャップを用いることでより大きくすることができる。しかしながら、発明者らは、磁気パイプ部分の個別の巻き線のギャップは注意深く扱う必要があることが分かった。というのは、磁気パイプの能率をスポイルする磁束漏洩をする穴を残すことがあるためである。発明者らは、巻き線の間隔は同等にするのがよく、ギャップがある場合に磁束の損失を最小限にするには、通常、ギャップは線径の１．５倍より小さくなるようにするべきであることが分かった。実際には、技術的な選択として、使いやすい単純な丸線を選択した。
【００４３】
さらに他の実施例では、巻き線１７の形状により、さらに磁極領域の間隔を大きくすることができる。たとえば、コイル１７は各三角形の頂点がパッドの中心に向くようにしておおよそ三角形状で巻かれるとよい。
【００４４】
図１２を参照すると、図１１の巻き線レイアウトを含むパッドを供給するためのフォーマーまたは支持プレート３０が平面図に示されている。フォーマー３０は、たとえば、プラスチックなどの磁気非透過性の材質で構成されていればよい。ある。フォーマー３０は、コイル１７（不図示）の一方を形成し支持する第１の箇所３２とコイル１７の他方を形成し支持する第２の箇所３８を含んでいる。くぼみ３４はフェライトバーや他の透過性部材を位置決めし支持する。溝３６はコイル１７の巻きを構成する個別の線を受容し、巻きが正しい間隔で配置されるようにしている。明確のため、フォーマー３０の斜視図を図１３に示す。
【００４５】
図１４はフォーマー３０の後面、すなわち、コイル１７が位置する側の反対側であるフォーマーの側に位置し、パッドの後面の隣に位置する背面プレート４０を示す。背面プレート４０は、たとえば、アルミニウムなどの磁束防御材料で構成されていてもよい。フラットコイル１７と磁心１４上でのそれらの位置の設計により、パッドの前面の前側の空間に向けて磁束を実質的に放射するため、使用の際にパッドの後面から磁束が出ることを妨げる必要は必ずしもない。しかしながら、背面プレート４０はパッドに構造的な支持を加えるものである。また、背面プレート４０はパッドの磁気的性質（たとえばインダクタンスの変化）を変えないようにするものである。たとえば、使用の際に磁気透過性材料の隣に取り付けられたような場合である。
【００４６】
フォーマー３０の大きさはおおよそ７９０ｍｍ×６００ｍｍ×２５ｍｍである。このようなフォーマーから構成されるパッドはほとんど同じ大きさになるであろう。
【００４７】
他の実際的な配慮
実際には、パッドのターミナルの電圧は安全が保持できないレベルに到達しないようにするのが望ましい。したがって、いくつかの実施例では、パッドのターミナルからみたインダクタンスを低下するように、コンデンサがパッドの内部に巻き線に直列に加えられてもよく、これらのターミナルで望ましい限度内（たとえば、３００〜４００ボルト）になるように電圧を制御してもよい。そうしないと、ターミナル電圧は数ＫＶに及ぶことがあるため、望ましいとはいえず、また安全が保持できない恐れもある。コンデンサは装置のどこか配置しやすい場所の近くに巻き線と直列に配置することができる。したがって、いくつかの実施例において、ひとつ以上のコンデンサがパッドの筐体の内部のターミナルポイントに巻き線と直列に配置することができる。他の実施例において、一つのコイルの内部電圧が高くなりすぎるような場合は、コンデンサを巻き線に沿って分けて配置し、巻き線をいくつかの適当なセクションに分けて、直列に接続することができる。
【００４８】
したがって、本発明は、ここではパッドと呼ぶ外形が低いデバイスを提供することができ、このデバイスから有意の距離に有用な磁束を発生することに用いることができる磁束発生器として使用することができる。このデバイスは、磁束のレシーバーとしても使用することができ、これによって、磁界から受けた電気エネルギーを生成する。有意な距離を越える磁束を発生させまたは受けるパッドの能力は、電気自動車に充電したりエネルギーを与えたりする際に特に有利である。
【００４９】
この明細書で引用したすべての出願、特許及び公報のすべての開示は、それがあるとすれば、その内容は参照により本明細書に組み込まれる。
【００５０】
本明細書中の従来技術に関する議論は、そのような先行技術が世界中のどの国においても共通の一般的知識の一部をなすことを承認するものではなく、また、いかなる形式においても示唆をするものではない。また、そのように解すべきでもない。
【００５１】
上記の記述では、公知の均等物を有する本発明の完成品または構成要素について言及してきたが、これらの完成品は個々に記載されているかのように本明細書に組み込まれて含まれる。
【００５２】
この明細書に記載された好ましい実施態様に対するいろいろな改変は当業者にとって明らかであることに注意すべきである。このような改変は、本発明の範囲と趣旨から離れずかつその有利な効果を縮減せずに行うことができる。したがって、このような改変は本発明に含まれるものと考えられる。
【図１】
0006230776.tif 000002
【図２】
0006230776.tif 000003
【図３】
0006230776.tif 000004
【図４】
0006230776.tif 000005
【図４Ａ】
0006230776.tif 000006
【図５Ａ】
0006230776.tif 000007
【図５Ｂ】
0006230776.tif 000008
【図５Ｃ】
0006230776.tif 000009
【図５Ｄ】
0006230776.tif 000010
【図６】
0006230776.tif 000011
【図７Ａ】
0006230776.tif 000012
【図７Ｂ】
0006230776.tif 000013
【図８Ａ】
0006230776.tif 000014
【図８Ｂ】
0006230776.tif 000015
【図９】
0006230776.tif 000016
【図１０】
0006230776.tif 000017
【図１１】
0006230776.tif 000018
【図１２】
0006230776.tif 000019
【図１３】
0006230776.tif 000020
【図１４】
0006230776.tif 000021